(57)【要約】  本発明に係る貨幣処理機は、貨幣を収納する収納庫を有し、供給された貨幣を該収納庫内に搬送して収納させる入金処理を行う貨幣処理機において、前記収納庫に対して、収納限界量を設定する限界量設定手段と、前記収納庫に収納された貨幣が、該収納庫に対して設定された前記収納限界量に達した場合に、収納の限界と判断する収納限界判断手段と、該収納限界判断手段の判断結果に応じて、前記入金処理を停止させる入金停止手段と、を備え、前記限界量設定手段は、前記収納限界量を記憶する設定内容記憶部を有しており、該設定内容記憶部の記憶内容に基づいて前記設定を行うものであり、該記憶内容の書換えを通じて、該設定の内容が変更可能であるとする。これにより、ＲＯＭの交換等を必要とせずに、収納限界量を状況に応じて容易に調整し得る貨幣処理機が実現される。
2008152684.tif 000002
【特許請求の範囲】
【請求項１】
貨幣を収納する収納庫を有し、供給された貨幣を該収納庫内に搬送して収納させる入金処理を行う貨幣処理機において、
前記収納庫に対して、収納限界量を設定する限界量設定手段と、
前記収納庫に収納された貨幣が、該収納庫に対して設定された前記収納限界量に達した場合に、収納の限界と判断する収納限界判断手段と、
該収納限界判断手段の判断結果に応じて、前記入金処理を停止させる入金停止手段と、を備え、
前記限界量設定手段は、
前記収納限界量を記憶する設定内容記憶部を有しており、該設定内容記憶部の記憶内容に基づいて前記設定を行うものであり、
該記憶内容の変更を通じて、該設定の内容が変更可能であることを特徴とする貨幣処理機。
【請求項２】
貨幣を受ける入金部と、
貨幣を収納する収納庫と、
該入金部から該収納庫内へ貨幣を搬送する搬送部と、を備え、
前記入金部が受けた貨幣を前記収納庫内に搬送して収納させる貨幣処理機において、
前記収納庫に対して、収納限界量を設定する限界量設定手段と、
前記収納庫に収納された貨幣が、該収納庫に対して設定された前記収納限界量に達したか否かを判断し、該判断結果に応じて前記搬送を停止させる入金停止手段と、
を備え、
前記限界量設定手段は、
前記収納限界量を記憶する設定内容記憶部を有しており、該設定内容記憶部の記憶内容に基づいて前記設定を行うものであり、
該記憶内容の変更を通じて、該設定の内容が変更可能であることを特徴とする貨幣処理機。
【請求項３】
前記収納限界判断手段は、
前記収納庫に搬送される貨幣を計数するとともに、該計数の結果と前記収納限界量を比較することにより、前記収納の限界であるか否かを判断することを特徴とする請求項１に記載の貨幣処理機。
【請求項４】
前記収納庫を金種別収納庫として複数個有しており、供給された貨幣を該金種別収納庫へ金種別に収納するものであって、
前記限界量設定手段は、該金種別収納庫の各々に対して、前記収納限界量を設定するものであり、
前記収納限界判断手段は、
該金種別収納庫の何れかに収納された貨幣が、該金種別収納庫に対して設定された前記収納限界量に達した場合に、収納の限界と判断することを特徴とする請求項１に記載の貨幣処理機。
【請求項５】
前記限界量設定手段は、
少なくとも個別設定と一括設定との何れかを選択して実行可能であり、
前記個別設定は、
前記金種別収納庫の各々に対して、前記収納限界量を個別に設定することであり、
前記一括設定は、
前記金種別収納庫の各々に対して、前記収納限界量を一括して設定することであることを特徴とする請求項４に記載の貨幣処理機。
【請求項６】
前記限界量設定手段は、
前記金種別収納庫の各々に対する収納限界量を定める一括設定情報を複数種類記憶しており、該一括設定情報の何れかに基づいて、一括設定を実行するものであり、
該一括設定は、
前記金種別収納庫の各々に対して、前記収納限界量を一括して設定することであることを特徴とする請求項４に記載の貨幣処理機。
【請求項７】
外部機器との通信を可能とする通信インターフェースを備え、
前記限界量設定手段は、
該外部機器から送られた情報に基づいて選定された前記一括設定情報に基づいて、前記一括設定を実行することを特徴とする請求項６に記載の貨幣処理機。
【請求項８】
前記外部機器から送られた情報に基づいて、前記限界量設定手段が記憶している一括設定情報の内容を変更する、設定情報変更部を備えたことを特徴とする請求項７に記載の貨幣処理機。
【請求項９】
前記限界量設定手段に前記一括設定情報を新たに記憶させる処理、および、前記限界量設定手段が記憶している前記一括設定情報の内容を変更させる処理、の各々が実行可能であることを特徴とする請求項６に記載の貨幣処理機。
【請求項１０】
請求項６に記載の貨幣処理機であって、
前記複数種類の一括設定情報の各々は、該貨幣処理機が使用される国に対応していることを特徴とする貨幣処理機。
【請求項１１】
前記収納庫に格納されている各貨幣からなる貨幣群の大きさまたは重量を検出することにより、前記収納庫が満杯であるか否かを検出する、満杯検出手段を備えていることを特徴とする請求項３に記載の貨幣処理機。
【請求項１２】
前記収納庫は、貨幣を積み重ねるように収納するものであり、
前記満杯検出手段は、前記収納庫に格納されている貨幣が積み重なった状態の高さの検出を通じて、前記収納庫が満杯であるか否かを検出することを特徴とする請求項１１に記載の貨幣処理機。
【請求項１３】
前記収納限界判断手段により収納の限界と判断されること、または、前記満杯検出手段により満杯が検出されること、の条件が満たされたときに、前記入金処理を停止させることを特徴とする請求項１１に記載の貨幣処理機。
【請求項１４】
前記収納限界判断手段は、
前記収納限界判断手段により収納の限界と判断される前に前記満杯検出手段により満杯が検出された場合は、前記設定されている収納限界量を補正するものであり、
該補正は、
該収納限界量を、前記満杯が検出された時点において前記収納庫に搬送されている貨幣の数または重量に変更するものであることを特徴とする請求項１３に記載の貨幣処理機。
【請求項１５】
前記収納限界量は、
貨幣の数または重量を示すことを特徴とする請求項１に記載の貨幣処理機。
【請求項１６】
供給された貨幣に対して、前記収納庫への収納の許否を識別する識別部と、
該識別部により前記収納庫への収納が許可された貨幣を収納する一時収納部と、を有し、
前記入金処理においては、前記供給された貨幣を該一時収納部に搬送して一時的に収納させた後に、前記収納庫に搬送する貨幣処理機であって、
前記収納庫に所定量以上の貨幣が収納され、かつ、前記一時収納部に所定量以上の貨幣が収納されている場合に、前記供給された貨幣が前記一時収納部に搬送されることを一旦中断させる、搬送中断手段を備えたことを特徴とする請求項１に記載の貨幣処理機。
【請求項１７】
前記識別部は、供給された貨幣に対して、少なくとも金種を識別することを特徴とする請求項１６に記載の貨幣処理機。
【請求項１８】
前記搬送中断手段により、前記供給された貨幣が前記一時収納部に搬送されることが一旦中断された場合、
前記一時収納部に収納されている貨幣を、前記収納庫に搬送して収納させる第１処理と、
前記一時収納部に収納されている貨幣の数が所定数以下となったときに、前記中断を解除させる第２処理と、
を行うことを特徴とする請求項１６に記載の貨幣処理機。
【請求項１９】
前記搬送中断手段により、前記供給された貨幣が前記一時収納部に搬送されることが一旦中断された場合、
前記一時収納部に収納されている貨幣を、前記収納庫に搬送して収納させる第１処理と、
該第１処理がなされた後の状態において、前記収納限界判断手段により収納の限界と判断された場合、または、前記満杯検出手段により満杯が検出された場合には、その旨を外部に報知する第３処理と、
を行うことを特徴とする請求項１６に記載の貨幣処理機。
【請求項２０】
表示を行う表示装置、または音響を発生させる音響発生装置を備えており、
前記第３処理においては、該表示装置または音響発生装置を通じて、前記報知を行うことを特徴とする請求項１９に記載の貨幣処理機。
【請求項２１】
前記搬送中断手段により、前記供給された貨幣が前記一時収納部に搬送されることが一旦中断された場合には、
前記一時収納部に収納されている貨幣を、前記収納庫に搬送して収納させる第１処理と、
該第１処理がなされた後の状態において、前記収納限界判断手段により収納の限界と判断された場合、または、前記満杯検出手段により満杯が検出された場合には、前記入金処理を終了させる入金終了処理と、を行うものであり、
該入金終了処理は、
既に前記収納庫に収納された貨幣と同額の貨幣を、前記収納庫から所定の出金口に搬送する処理、および、該搬送を行わない処理の何れかが、選択可能に実施されることを特徴とする請求項１６に記載の貨幣処理機。
【請求項２２】
貨幣を収納する収納庫を有し、供給された貨幣を該収納庫に搬送して収納する貨幣処理機の制御方法であって、
前記収納庫に対して、収納限界量を変更可能に設定させる第１ステップと、
前記収納庫に収納された貨幣が、該収納庫に対して設定された前記収納限界量に達したか否かを判断する第２ステップと、
該第２ステップにおける判断結果に応じて前記搬送を停止させる第３ステップと、
を含むことを特徴とする制御方法。
【発明の詳細な説明】
【技術分野】
【０００１】
本発明は、紙幣、硬貨等の貨幣に対して入金処理などを実行する、貨幣処理機に関する。
【背景技術】
【０００２】
従来、金融機関等の窓口などにおいては、例えば特許文献１に示すような、入金処理や出金処理などを実行する貨幣処理機が使用されている。かかる貨幣処理機では、例えば入金処理については、入金口にセットされた貨幣が収納庫に搬送され、収納されることで実行される。【０００３】
一方、収納庫の許容容量（収納限界量）を超えて貨幣が収納されると、無理な収納のために貨幣が傷んだり、収納庫が破損したりする等のおそれがある。そのため、収納庫に搬送される貨幣の枚数や、収納庫に収納されている貨幣の量を監視することを通じて、収納庫に収納限界量を超えた貨幣が収納されることを防止するようにしている。【０００４】
なお特許文献２によれば、貨幣の状態による収納量のバラツキを考慮し、収納量の上限値とセンサにより読取った情報から収納量を求め、算出した収納量と現実に収納庫へ収納した数量とを比較して、収納庫の満杯を検知している。
【特許文献１】特開２００４−１４５６００号公報
【特許文献２】特開平１１−２７２９２１号公報
【発明の開示】
【発明が解決しようとする課題】
【０００５】
上述のような貨幣処理機では、収納限界量は書換え不可能なＲＯＭに記憶されており、その値は固定となっている。しかし例えば紙幣の場合、新券と流通券を比べると、流通券の方が、シワや折れ曲がりの跡などが多い（状態が悪い）ことになる。状態が悪いほど紙幣同士が密着しにくくなり、紙幣間の隙間が大きくなること等から、同じ容量の収納庫であっても実質的な収納限界量は小さくなる。そのため、収納限界量が固定されているものでは、新券や流通券の違いを考慮した上で、収納の限界を検知することは困難である。【０００６】
また同じ厚みの紙幣でも、使用されている国によっては紙幣の状態が異なることがある。そのため、同じ収納量をもつ収納庫を搭載する貨幣処理機を複数国に導入する際は、各国に対応して収納限界量が設定されたＲＯＭが必要となる。しかしこの場合、複数種類のＲＯＭの準備や、貨幣処理機の使用開始時にＲＯＭの変更や交換をすることが必要となるため、製品管理や製造コスト等の面で不利となる。【０００７】
またさらに、同一国内における同じ厚みの紙幣であっても、使用頻度の高い比較的定額な金種のものほど、状態が悪いのが通常である。そのためこの原因によっても、実質的な収納限界量は変動することになる。【０００８】
そこで本発明は上述の問題点に鑑み、ＲＯＭの交換等を必要とせずに、収納限界量を状況に応じて容易に調整し得る貨幣処理機の提供を目的とする。
【課題を解決するための手段】
【０００９】
上記目的を達成するため、本発明に係る貨幣処理機は、貨幣を収納する収納庫を有し、供給された貨幣を該収納庫内に搬送して収納させる入金処理を行う貨幣処理機において、前記収納庫に対して、収納限界量を設定する限界量設定手段と、前記収納庫に収納された貨幣が、該収納庫に対して設定された前記収納限界量に達した場合に、収納の限界と判断する収納限界判断手段と、該収納限界判断手段の判断結果に応じて、前記入金処理を停止させる入金停止手段と、を備え、前記限界量設定手段は、前記収納限界量を記憶する設定内容記憶部を有しており、該設定内容記憶部の記憶内容に基づいて前記設定を行うものであり、該記憶内容の変更を通じて、該設定の内容が変更可能である構成（第１の構成）とする。【００１０】
本構成によれば、収納限界判断手段の判断結果に応じて入金処理が停止される貨幣処理機において、収納限界量の設定の内容は、設定内容記憶部の記憶内容の変更（書換え）を通じて、変更可能としている。その結果、ＲＯＭの交換等を必要とせずに、収納庫の収納限界量を状況に応じて容易に調整することが可能となる。【００１１】
また本発明に係る貨幣処理機は、貨幣を受ける入金部と、貨幣を収納する収納庫と、該入金部から該収納庫内へ貨幣を搬送する搬送部と、を備え、前記入金部が受けた貨幣を前記収納庫内に搬送して収納させる貨幣処理機において、前記収納庫に対して、収納限界量を設定する限界量設定手段と、前記収納庫に収納された貨幣が、該収納庫に対して設定された前記収納限界量に達したか否かを判断し、該判断結果に応じて前記搬送を停止させる入金停止手段と、を備え、前記限界量設定手段は、前記収納限界量を記憶する設定内容記憶部を有しており、該設定内容記憶部の記憶内容に基づいて前記設定を行うものであり、該記憶内容の変更を通じて、該設定の内容が変更可能である構成（第２の構成）とする。【００１２】
本構成によれば、収納庫に収納された貨幣が設定された収納限界量に達したか否かの判断結果に応じて入金処理が停止される貨幣処理機において、収納限界量の設定の内容は、設定内容記憶部の記憶内容の変更（書換え）を通じて、変更可能としている。その結果、ＲＯＭの交換等を必要とせずに、収納庫の収納限界量を状況に応じて容易に調整することが可能となる。【００１３】
また上記第１の構成において、前記収納限界判断手段は、前記収納庫に搬送される貨幣を計数するとともに、該計数の結果と前記収納限界量を比較することにより、前記収納の限界であるか否かを判断する構成（第３の構成）としても良い。【００１４】
本構成によれば、搬送される貨幣を計数する装置が用いられることにより、収納限界判断手段が容易に実現され得る。また収納限界量を、貨幣の数または質量（或いは重量）として表すことが可能となる。なおここでの「計数」は、貨幣の数を計数することに加え、重量値を計数（加算）することを含むものとする。【００１５】
また上記第１の構成において、前記収納庫を金種別収納庫として複数個有しており、供給された貨幣を該金種別収納庫へ金種別に収納するものであって、前記限界量設定手段は、該金種別収納庫の各々に対して、前記収納限界量を設定するものであり、前記収納限界判断手段は、該金種別収納庫の何れかに収納された貨幣が、該金種別収納庫に対して設定された前記収納限界量に達した場合に、収納の限界と判断する構成（第４の構成）としても良い。【００１６】
本構成によれば、金種別に貨幣を収納するための金種別収納庫を有する貨幣処理機としながらも、収納庫の収納限界量を状況に応じて容易に調整することが可能となる。【００１７】
また上記第４の構成において、前記限界量設定手段は、少なくとも個別設定と一括設定との何れかを選択して実行可能であり、前記個別設定は、前記金種別収納庫の各々に対して、前記収納限界量を個別に設定することであり、前記一括設定は、前記金種別収納庫の各々に対して、前記収納限界量を一括して設定することである構成（第５の構成）としても良い。【００１８】
本構成によれば、収納限界量の設定を、少なくとも個別設定と一括設定との何れかを選択して実行可能であるから、収納限界量の設定をより容易に実行させることが可能となる。なお「一括して設定する」とは、各金種別収納庫に対する収納限界量を定めることができる情報を用いて、各収納限界量をこの定められた内容に設定することである。【００１９】
また上記第４の構成において、前記限界量設定手段は、前記金種別収納庫の各々に対する収納限界量を定める一括設定情報を複数種類記憶しており、該一括設定情報の何れかに基づいて、一括設定を実行するものであり、該一括設定は、前記金種別収納庫の各々に対して、前記収納限界量を一括して設定することである構成（第６の構成）としても良い。【００２０】
本構成によれば、予め種々の一括設定情報を準備しておき、状況に応じた適切な一括設定情報を選択することで、収納限界量の設定をより容易に実行させることが可能となる。【００２１】
また上記第６の構成において、外部機器との通信を可能とする通信インターフェースを備え、前記限界量設定手段は、該外部機器から送られた情報に基づいて選定された前記一括設定情報に基づいて、前記一括設定を実行する構成（第７の構成）としても良い。【００２２】
本構成によれば、外部機器（通信端末など）側で収納限界量の設定内容を制御することが可能となる。そのため、収納限界量の設定をより容易に実行させることが可能となる。【００２３】
また上記第７の構成において、前記外部機器から送られた情報に基づいて、前記限界量設定手段が記憶している前記一括設定情報の内容を変更する、設定情報変更部を備えた構成（第８の構成）としても良い。【００２４】
本構成によれば、一括設定情報の内容を変更する必要が生じた場合に、外部機器側で変更内容を制御することが可能となる。そのため、一括設定情報の内容の変更をより容易に実行させることが可能となる。【００２５】
また上記第６の構成において、前記限界量設定手段に前記一括設定情報を新たに記憶させる処理、および、前記限界量設定手段が記憶している前記一括設定情報の内容を変更させる処理、の各々が実行可能である構成（第９の構成）としても良い。【００２６】
本構成によれば、状況により一括設定情報を新たに記憶させる必要が生じた場合や、一括設定情報の内容を変更させる必要が生じた場合に、適切な対処を行うことが可能となる。【００２７】
また上記第６の構成に係る貨幣処理機であって、前記複数種類の一括設定情報の各々は、該貨幣処理機が使用される国に対応している構成（第１０の構成）の貨幣処理機としても良い。【００２８】
本構成によれば、貨幣処理機が複数国の何れかで使用される場合、その国に対応した一括設定情報を用いて収納限界量を設定することが可能となる。そのため、収納限界量の設定をより容易に実行させることが可能となる。【００２９】
また上記第３の構成において、前記収納庫に格納されている各貨幣からなる貨幣群の大きさまたは重量を検出することにより、前記収納庫が満杯であるか否かを検出する、満杯検出手段を備えている構成（第１１の構成）としても良い。【００３０】
本構成によれば、満杯検出手段の検出結果を利用することにより、収納庫に貨幣が過剰に収納される事態を防止することがより容易となる。なお「満杯」とは、収納庫に所定量以上の貨幣が収納された状態のことである。また「集積体の大きさ」は、集積方向の厚み（の大きさ）も含む概念である。【００３１】
また上記第１１の構成の具体的構成として、前記収納庫は、貨幣を積み重ねるように収納するものであり、前記満杯検出手段は、前記収納庫に格納されている貨幣が積み重なった状態の高さの検出を通じて、前記収納庫が満杯であるか否かを検出する構成（第１２の構成）としても良い。【００３２】
また上記第１１の構成において、前記収納限界判断手段により収納の限界と判断されること、または、前記満杯検出手段により満杯が検出されること、の条件が満たされたときに、前記入金処理を停止させる構成（第１３の構成）としても良い。本構成によれば、入金処理を停止させる条件が複数の観点から設けられているため、より正確に入金処理を停止させることが可能となる。【００３３】
また上記第１３の構成において、前記収納限界判断手段は、前記収納限界判断手段により収納の限界と判断される前に前記満杯検出手段により満杯が検出された場合は、前記設定されている収納限界量を補正するものであり、該補正は、該収納限界量を、前記満杯が検出された時点において前記収納庫に搬送されている貨幣の数または重量に変更するものである構成（第１４の構成）としても良い。本構成によれば、収納限界量の設定内容をより妥当なものとすることが可能となる。【００３４】
また上記第１の構成の具体的構成として、前記収納限界量は、貨幣の数または重量を示す構成（第１５の構成）としても良い。【００３５】
また上記第１の構成において、供給された貨幣に対して、前記収納庫への収納の許否を識別する識別部と、該識別部により前記収納庫への収納が許可された貨幣を収納する一時収納部と、を有し、前記入金処理においては、前記供給された貨幣を該一時収納部に搬送して一時的に収納させた後に、前記収納庫に搬送する貨幣処理機であって、前記収納庫に所定量以上の貨幣が収納され、かつ、前記一時収納部に所定量以上の貨幣が収納されている場合に、前記供給された貨幣が前記一時収納部に搬送されることを一旦中断させる、搬送中断手段を備えた構成（第１６の構成）としても良い。【００３６】
本構成によれば、例えば一時収納部から収納庫への貨幣の搬送を制限させる場合に、一時収納部に紙幣が過剰に収納される事態を、極力回避することが可能となる。【００３７】
また上記第１６の構成において、より具体的には、前記識別部は供給された貨幣に対して、少なくとも金種を識別する構成（第１７の構成）としても良い。なお「金種」とは貨幣の種類のことである。【００３８】
また上記第１６の構成において、前記搬送中断手段により、前記供給された貨幣が前記一時収納部に搬送されることが一旦中断された場合、前記一時収納部に収納されている貨幣を、前記収納庫に搬送して収納させる第１処理と、前記一時収納部に収納されている貨幣の数が所定数以下となったときに、前記中断を解除させる第２処理と、を行う構成（第１８の構成）としても良い。【００３９】
本構成によれば、搬送中断手段を通じて状況に応じて貨幣の搬送を中断させるものとしながらも、一時収納部に収納されている貨幣の数が所定数以下となったときには、中断を解除させることが可能となる。そのため、一時収納部庫に紙幣が過剰に収納される事態を回避しながらも、収納庫への貨幣の搬送が滞ることを極力防ぐことが可能となる。【００４０】
また上記第１６の構成において、前記搬送中断手段により、前記供給された貨幣が前記一時収納部に搬送されることが一旦中断された場合、前記一時収納部に収納されている貨幣を、前記収納庫に搬送して収納させる第１処理と、該第１処理がなされた後の状態において、前記収納限界判断手段により収納の限界と判断された場合、または、前記満杯検出手段により満杯が検出された場合には、その旨を外部に報知する第３処理と、を行う構成（第１９の構成）としても良い。【００４１】
本構成によれば、第３処理がなされることにより、収納の限界あるいは満杯が検出されたことが外部に報知されることとなる。そのためテラー等がこの状況を把握し、入金終了の処理などの適切な処置をとることが容易となる。【００４２】
また上記第１９の構成において、より具体的には、表示を行う表示装置、または音響を発生させる音響発生装置を備えており、前記第３処理においては、該表示装置または音響発生装置を通じて、前記報知を行う構成（第２０の構成）としても良い。【００４３】
また上記第１６の構成において、前記搬送中断手段により、前記供給された貨幣が前記一時収納部に搬送されることが一旦中断された場合には、前記一時収納部に収納されている貨幣を、前記収納庫に搬送して収納させる第１処理と、該第１処理がなされた後の状態において、前記収納限界判断手段により収納の限界と判断された場合、または、前記満杯検出手段により満杯が検出された場合には、前記入金処理を終了させる入金終了処理と、を行うものであり、該入金終了処理は、既に前記収納庫に収納された貨幣と同額の貨幣を、前記収納庫から所定の出金口に搬送する処理、および、該搬送を行わない処理の何れかが、選択可能に実施される構成（第２１の構成）としても良い。【００４４】
本構成によれば、入金終了処理として、既に収納庫に収納された貨幣と同額の貨幣を、収納庫から出金口に搬送する処理と、この搬送を行わない処理の何れかを、選択可能に実施される。そのため、入金予定額の一部でも入金できるならば入金を行いたいと考えている顧客、および、全額が入金されない限りは、入金をやめたいと考えている顧客の、何れに対しても適切に対応することが可能となる。【００４５】
また貨幣を収納する収納庫を有し、供給された貨幣を該収納庫に搬送して収納する貨幣処理機の制御方法であって、前記収納庫に対して、収納限界量を変更可能に設定させる第１ステップと、前記収納庫に収納された貨幣が、該収納庫に対して設定された前記収納限界量に達したか否かを判断する第２ステップと、該第２ステップにおける判断結果に応じて前記搬送を停止させる第３ステップと、を含む方法も有用である。
【発明の効果】
【００４６】
本発明によると、収納限界判断手段の判断結果（収納庫に収納された貨幣が設定された収納限界量に達したか否かの判断結果）に応じて入金処理が停止される貨幣処理機において、収納限界量の設定は、書換え可能な記憶手段である設定内容記憶部の記憶内容に基づいてなされる。【００４７】
そのため、収納限界量の設定内容の変更は、設定内容記憶部の記憶内容を書換えるだけで実現することが可能となる。その結果、ＲＯＭの交換等を必要とせずに、収納庫の収納限界量を状況に応じて容易に調整することが可能となる。
【図面の簡単な説明】
【００４８】
【図１】本発明の実施形態に係る循環式紙幣入出金機の外観図である。
【図２】本発明の実施形態に係る循環式紙幣入出金機の断面図である。
【図３】循環式紙幣入出金機と上位端末の制御体系を示す説明図である。
【図４】過剰収納防止機能に関する処理の流れ図である。
【図５】一括設定情報の内容に関する表である。
【図６】過剰収納防止機能を具体的に説明するための表である。
【図７】過剰収納防止機能を具体的に説明するための説明図である。
【符号の説明】
【００４９】
１１        循環式紙幣入出金機（貨幣処理機）
１２、１３  上位端末（外部機器）
２２        紙幣出金口
２３        紙幣入金口
２４        占有ボタン
３４        透明シャッタ
３５        入金紙幣一時保留部（一時収納部）
３６        前面扉
４０        上部ユニット側紙幣搬送部
５０        紙幣識別部（識別部）
８２        リジェクトボックス
８３        金種別紙幣収納部（収納庫、金種別収納庫）
８５        下部ユニット側紙幣搬送部
２０１        枚数検出手段
２０２        満杯検出手段
２０３        記憶部
２０４        制御部
【発明を実施するための最良の形態】
【００５０】
以下、本発明の一実施の形態について図面を参照しながら説明する。まず本実施形態に係る循環式紙幣入出金機（以下、「紙幣入出金機」と称する）の構成について説明する。【００５１】
図１に、紙幣入出金機１１の外観図を、また図２に、同じく紙幣入出金機１１の断面図を、それぞれ示す。この紙幣入出金機１１は、例えば銀行などの金融機関のカウンターに、このカウンターの内側に居る２人のテラー間に設置され、紙幣入出金機１１の左右の一方または両方に居るテラーのいずれからも使用可能となっている。【００５２】
紙幣入出金機１１には通信インターフェースが設けられており、ここには、左右の２人のテラーが操作する上位端末１２，１３がそれぞれ接続されている。これにより、上位端末１２，１３と紙幣入出金機１１との双方向通信が可能となっている。そしてこれら上位端末１２，１３のいずれか一方のみで紙幣入出金機１１を使用する場合、両方で紙幣入出金機１１を使用する場合の３通りの使用方法が可能である。【００５３】
紙幣入出金機１１は機体１４を有し、この機体１４は、テラーが操作する操作面側を前面１４ａとし、この前面１４ａと反対側つまりカウンターの外側の顧客側を後面１４ｂとした場合、左右方向の横幅が狭く、前後方向の奥行きが長いとともに上下方向の高さが高い縦型に構成されている。【００５４】
また機体１４には、上部ユニット１５および下部ユニット１６が機体１４の前面側からそれぞれ引出可能に設けられている。【００５５】
上部ユニット１５の上面前側および前面上側には、操作部としての上面操作部１７および前面操作部１８がそれぞれ配置され、上面操作部１７は機体１４の上面１４ｃより上方に突出され、この上面操作部１７の後方の機体１４の上面域にカウンターが嵌合する嵌合段部１９が形成され、この嵌合段部１９から機体１４の後面１４ｂまでの幅寸法のカウンターが機体１４の上面１４ｃに嵌合配置され、上面操作部１７の上面がカウンターの上面と略同じぐらいの高さ位置に配置される。【００５６】
上部ユニット１５の上面操作部１７には、すなわち機体１４の上面前側には、前側から順に、前方へ向けて下降傾斜する傾斜面２０および略水平な水平面２１が形成され、この水平面２１には、前側から順に、紙幣を出金する紙幣出金口２２、および紙幣を入金する紙幣入金口２３が形成され、これら紙幣出金口２２および紙幣入金口２３の設置域の左右両側域に左右いずれのテラーで入金処理または出金処理を占有するかを指示する占有指示部としての占有ボタン２４がそれぞれ配置され、紙幣出金口２２および紙幣入金口２３の設置域の一側すなわち左側に紙幣の詰まり箇所や紙幣の残量などを表示する表示部２５が配置されている。各占有ボタン２４は、それぞれランプを内蔵しており、操作されて占有状態となることで点灯表示する。【００５７】
上部ユニット１５の前面操作部１８には、入金処理時に入金紙幣の一時保留後の入金非承認によって返却することになった紙幣を取り出すための開口部２６が形成され、前面扉３６で閉塞される。また、上部ユニット１５を機体１４に収納した状態で施錠解錠するテラー操作用の上部ユニット錠２７が設けられている。そして、この上部ユニット錠２７の解錠によって上部ユニット１５が機体１４から引き出せる。【００５８】
機体１４の前面下部域には扉体２８が開閉可能に取り付けられ、この扉体２８に下部ユニット１６を機体１４に収納して扉体２８を閉じた状態で施錠解錠する金融機関の上位管理者または警備保障会社の社員しか操作できない下部ユニット錠２９が設けられており、扉体２８を解錠して開放することで下部ユニット１６を機体１４内から前方へ引き出し可能としている。なお、下部ユニット錠２９はテラーには解錠できない。【００５９】
また、上部ユニット１５の紙幣出金口２２および紙幣入金口２３の下部には、紙幣を立位姿勢でかつ長方形の紙幣の短手方向を上下方向として収納するボックス状の紙幣出金部３２および紙幣入金部３３がそれぞれ配置されている。紙幣出金口２２には、出金中に紙幣出金口２２を閉じるとともに出金終了時に開く透明シャッタ３４が開閉可能に配置され、出金中においては閉じている透明シャッタ３４を透過して紙幣出金口３２に出金される紙幣を視認可能としている。【００６０】
上部ユニット１５の前面の開口部２６の内側には、すなわち機体１４の前側域には、正規と識別された入金紙幣つまり入金正規紙幣を受収して金種混合状態で一括して一時保留する入金紙幣一時保留部３５が配置されている。この入金紙幣一時保留部３５の前面には閉鎖状態で図示しない電磁ロックによってロックされる透明な前面扉３６が開閉可能に配置され、一時保留紙幣の返却時に電磁ロックが解除され、前面扉３６に設けられている取手３７を持って開口部２６から前方へ開くことにより、開口部２６を通じて入金紙幣一時保留部３５内の入金非承認時の一時保留紙幣を一括取出可能としている。【００６１】
上部ユニット１５内には、紙幣出金部３２、紙幣入金部３３および入金紙幣一時保留部３５に接続されて紙幣を搬送する上部ユニット側紙幣搬送部４０が配設されている。この上部ユニット側紙幣搬送部４０は、紙幣出金部３２に紙幣を搬送する出金搬送路部４１、紙幣入金部３３から繰り出される紙幣を搬送する入金搬送路部４２、出金搬送路部４１の途中に接続されて入金紙幣一時保留部３５との間で紙幣を搬送する保留搬送路部４３、後方から前方へ折り返す略Ｕ字形で上側の一端が入金搬送路部４２に接続された識別搬送路部４４、識別搬送路部４４の上側の一端と下側の他端とを接続するバイパス搬送路部４５、出金搬送路部４１と識別搬送路部４４の上側の一端（パイパス搬送通路４５の上端）との間に接続された保留出金搬送路部４６、保留出金搬送路部４６に接続されて前方へ延設されたリジェクト紙幣搬送路部４７、識別搬送路部４４の下側の他端（パイパス搬送通路４５の下端）に接続されて前方へ延設され前端がリジェクト紙幣搬送路部４７に接続された収納出金搬送路部４８を有している。【００６２】
少なくとも出金搬送路部４１、保留搬送路部４３、識別搬送路部４４、保留出金搬送路部４６および収納出金搬送路部４８は、紙幣の搬送方向を正逆に反転させることができる。各搬送路部４１〜４８間の接続部分には紙幣の進行方向を切り換える切換部材４９がそれぞれ配置されている。識別搬送路部４４には搬送する紙幣の金種、真偽、および正損などを識別する紙幣識別部５０が配設されている。なお「金種」とは貨幣の種類のことであり、「真偽」とは貨幣が偽造されたものであるか否か（本物か偽者か）を示すものであり、「正損」は所定の判断基準（例えば、汚れ度合や損傷の度合に関する基準）に照らして適正な貨幣であるか否かを示すものである。【００６３】
紙幣出金部３２には、出金搬送路部４１で搬送してくる紙幣を立位姿勢で紙幣出金部３２内に１枚ずつ繰り込む羽根ローラ５３、この羽根ローラ５３で繰り込まれる紙幣を立位姿勢で受け入れるとともに紙幣を受け入れる位置を一定にして紙幣の立位姿勢を保ちながら前方へ整列集積するために受け入れた紙幣量に応じて移動するトレイ５４がそれぞれ配設されている。【００６４】
紙幣入金部３３には、入金紙幣を立位姿勢で受け入れるトレイ５７、入金処理の開始時に移動するトレイ５７で押し付けられる立位姿勢で整列集積される紙幣を１枚ずつ下方へ繰り出すキックローラ５８、このキックローラ５８で繰り出される紙幣を挟持して入金搬送路部４２へ送り込むフィードローラ５９とゲートローラ６０がそれぞれ配設されている。【００６５】
入金紙幣一時保留部３５は、その後面上側に保留搬送路部４３が接続され、その後面上側が後方へ向けて下り傾斜されており、入金紙幣一時保留部３５における保留空間部３５ａの周囲を囲む前面扉３６である前面壁６３と後面壁６４との間で入金紙幣一時保留部３５内を昇降する集積台６５上に紙幣の紙面を上下方向に向けて集積する。【００６６】
入金紙幣一時保留部３５には、保留搬送路部４３から入金紙幣一時保留部３５に入金紙幣を１枚ずつ繰り込むとともに入金承認時に一時保留紙幣を保留搬送路部４３へ１枚ずつ繰り出す繰込繰出手段６６が配設されている。この繰込繰出手段６６は、紙幣を載せて昇降する集積台６５と連動して動作するもので、保留搬送路部４３から入金紙幣一時保留部３５に紙幣を繰り込むとともに入金紙幣一時保留部３５から保留搬送路部４３へ紙幣を繰り出す軸方向に複数のフィードローラ６７およびゲートローラ６８、紙幣繰出時に集積台６５上の一時保留紙幣を１枚ずつフィードローラ６７とゲートローラ６８との間に繰り出すキックローラ７２などを備えている。【００６７】
また下部ユニット１６には、機体１４の前側域に、商品券などを収納する着脱ボックス８１が着脱可能に配置されているとともに、リジェクト紙幣を収納するリジェクトボックス８２が固定的に配置されている。【００６８】
さらに、リジェクトボックス８２の後部域には、金種別に紙幣を収納する金種別紙幣収納部８３が、図２の（Ａ）〜（Ｅ）で示すように前後方向に並んで固定的に配置されている。これら各金種別紙幣収納部８３の上部に紙幣の受収および１枚ずつの繰り出しをする紙幣受収繰出部８４が配置され、金種別紙幣収納部８３の上方域に各紙幣受収繰出部８４に接続して紙幣を搬送する下部ユニット側紙幣搬送部８５が配置されている。なお下部ユニット１６の最後部には、図２の（Ｆ）で示すように、必要に応じて金種別紙幣収納部８３を増設可能とする増設スペース８６が形成されている。【００６９】
リジェクトボックス８２には、このリジェクトボックス８２の上部から紙幣を１枚ずつ繰込可能とする繰込手段８７が配置されている。【００７０】
各金種別紙幣収納部８３には、集積台８８が昇降可能に配置され、この集積台８８上に紙幣の紙面を上下方向に向けて集積する。【００７１】
下部ユニット側紙幣搬送部８５は、金種別紙幣収納部８３の上方域に沿って前後方向に配置された主搬送路部８９、この主搬送路部８９から各金種別紙幣収納部８３に繰り込む紙幣を搬送する繰込搬送路部９０、各金種別紙幣収納部８３から繰り出される紙幣を主搬送路部８９に搬送する繰出搬送路部９１を備え、各搬送路部８９〜９１の接続部分には紙幣の進行方向を切り換える切換部材９２がそれぞれ配置されている。下部ユニット側紙幣搬送部８５の主搬送路部８９は、紙幣の搬送方向を正逆に反転させることができる。【００７２】
紙幣受収繰出部８４は、紙幣を載せて昇降する集積台８８と連動して動作するもので、紙幣収納時に繰込搬送路部９０からの紙幣を集積台８８上に繰り込む繰込ローラ９３，９４、紙幣繰出時に集積台８８上の紙幣を１枚ずつ繰り出すキックローラ９５、このキックローラ９５で繰り出される紙幣を繰出搬送路部９１に繰り出す繰出ローラ９６およびゲートローラ９７を備えている。【００７３】
そして、金種別紙幣収納部８３への紙幣繰込時には、集積台８８上に紙幣を集積収納する毎に紙幣の上面高さが高くなるため、集積台８８を順次下降させて紙幣を受け入れて集積収納する上面高さを一定の範囲内に保つようにする。また、金種別紙幣収納部８３からの紙幣繰出時には、集積台８８を上昇させて紙幣をキックローラ９５に押し付け、キックローラ９５の回転により、紙幣を１枚ずつ繰り出す。【００７４】
また、機体１４には、上部ユニット１５と下部ユニット１６との間において、機体１４に収納した下部ユニット１６の上面を閉塞状態に覆う板状の被覆部材１００が固定されている。この被覆部材１００には前端側に第１の開口部１０１および第２の開口部１０２がそれぞれ形成され、第１の開口部１０１には上部ユニット側紙幣搬送部４０の収納出金搬送路部４８の前端側と下部ユニット側紙幣搬送部８５の前端側とを接続して紙幣を搬送する第１の接続通路部１０３が配置され、第２の開口部１０２には上部ユニット側紙幣搬送部４０のリジェクト紙幣搬送路部４７とリジェクトボックス８２とを接続して紙幣を搬送する第２の接続通路部１０４がそれぞれ配置されている。【００７５】
これら第１の接続通路部１０３および第２の接続通路部１０４は、機体１４側に固定された被覆部材１００の第１の開口部１０１および第２の開口部１０２を通じて、機体１４に対してそれぞれ引出可能とした上部ユニット１５および下部ユニット１６を機体１４に収納した状態で接続されて上部ユニット１５と下部ユニット１６との間で紙幣の搬送が可能となる。さらに、第１の接続通路部１０３および第２の接続通路部１０４は、紙幣の搬送方向を正逆に反転させることができる。【００７６】
次に紙幣入出金機１１および上位端末１２，１３からなるシステムの制御体系について、図３を参照しながら説明する。本図に示すように紙幣入出金機１１は、先述したものの他、枚数検出手段２０１、満杯検出手段２０２、制御部２０３、および記憶部２０４をも有している。【００７７】
枚数検出手段２０１および満杯検出手段２０２は、金種別紙幣収納部８３の各々に収納されている紙幣枚数や、金種別紙幣収納部８３の各々が満杯となっているか否かを検出する手段として備えられている。これらは、後述する過剰収納防止機能を実現させるために用いられる。【００７８】
枚数検出手段２０１は、金種別紙幣収納部８３の各々に対して、何枚の紙幣が収納されたか（あるいは、何枚の紙幣が金種別紙幣収納部８３に向けて搬送されたか）を検出するものである。なお枚数検出手段２０１は、例えば金種別紙幣収納部８３ごとの繰込搬送路部９０に光センサを設けておき、この繰込搬送路部９０を通過する紙幣枚数をカウントすること等により実施可能であるが、他の方法を採用しても良い。枚数検出手段２０１により得られた検出情報は、制御部２０４に伝送される。【００７９】
満杯検出手段２０２は、金種別紙幣収納部８３の各々が満杯となっているか否かを、該収納部８３に収納された紙幣からなる紙幣群の大きさ（大きさの代わりに重量であっても良い）を通じ、物理的に検出するものである。より具体的には、先述の通り、金種別紙幣収納部８３に紙幣が収納される程、集積台８８が下降していくことになるところ、この集積台８８が所定位置まで下降したか否かを通じて、満杯を検出するものである。【００８０】
この満杯検出手段２０２によれば、所定位置まで集積台８８が下降した時点で、その金種別紙幣収納部８３は満杯になっていると判断される。つまり金種別紙幣収納部８３では、紙幣が順次積み重なるように収納されることとなっているが、この積み重なった状態の高さ（重なり方向の厚み）の検出を通じて満杯を検出するものである。満杯検出手段２０１により得られた検出情報は、制御部２０４に伝送される。【００８１】
記憶部２０３は、例えばフラッシュメモリのように書換え可能な記憶装置からなっており、後述する一括設定情報や収納限界量の情報など、種々の情報を記憶する。また制御部２０４は、紙幣入出金機１１においてなされる入金処理や出金処理などを全体的に制御する。制御にあたっては、上位端末１２，１３、紙幣識別部５０、枚数検出手段２０１、満杯検出手段２０２、および記憶部２０３などから取得される各種情報が用いられることになる。【００８２】
以上に示した構成の紙幣入出金機１１によれば、紙幣の入金処理（受取った紙幣を内部に収納する処理）や出金処理（収納されている紙幣から、指定された金額分を取り出す処理）などを実行することが可能である。次に、紙幣入出金機１１における入金処理の内容について説明する。【００８３】
紙幣入出金機１１を例えば左側のテラーが使用する場合には、左側の占有ボタン２４を操作することにより、左側のテラー側の占有モードとする。【００８４】
金融機関のカウンターにおいて、テラーが顧客から受け取った入金紙幣を紙幣入金口２３に投入し（紙幣入金口２３が外部から紙幣を受けて）、左側のテラーの上位端末１２で入金開始を操作することにより、入金処理を開始する。【００８５】
紙幣入金口２３に投入されて立位姿勢が保たれる入金紙幣は、紙幣入金口２３から上部ユニット側紙幣搬送部４０の入金搬送路部４２に１枚ずつ繰り出され、識別搬送路部４４に搬送される。そして紙幣識別部５０で、各紙幣に対して入金の許否（例えば、紙幣が正規であるか否かの判断基準による）が識別される。【００８６】
紙幣識別部５０で入金許可と識別された入金紙幣は、識別搬送路部４４からバイパス搬送路部４５、保留出金搬送路部４６、出金搬送路部４１および保留搬送路部４３を通じて入金紙幣一時保留部３５の保留空間部３５ａに繰り込まれて一時保留される。【００８７】
紙幣識別部５０で入金不許可と識別された入金紙幣（識別不能な紙幣などを含む）は、識別搬送路部４４からバイパス搬送路部４５、保留出金搬送路部４６および出金搬送路部４１を通じて紙幣出金口２２に立位姿勢で繰り込まれ、入金紙幣の一時保留が終了した時点で透明シャッタ３４が開放されて返却される。紙幣出金口２２から識別不能な紙幣がテラーによって取り出されたら透明シャッタ３４を閉じる。入金不許可と判断された紙幣はテラーから顧客に返却される。【００８８】
そして、紙幣入金口２３に投入された全ての入金紙幣の一時保留までの処理が完了したら、識別結果を上位端末１２に表示し、顧客に入金承認または入金非承認を確認する。【００８９】
テラーが上位端末１２によって入金承認指令を操作することにより、入金紙幣一時保留部３５に一時保留された一時保留紙幣の収納動作を開始する。入金紙幣一時保留部３５の一時保留紙幣つまり収納紙幣は、入金紙幣一時保留部３５から保留搬送路部４３に１枚ずつ繰り出され、出金搬送路部４１および保留出金搬送路部４６を通じて識別搬送路部４４に搬送されて、紙幣識別部５０で金種が識別される。なおこのとき、収納紙幣が正規であるかを併せて識別するようにしても良い。【００９０】
紙幣識別部５０で金種が識別された収納紙幣は、収納出金搬送路部４８から第１の接続通路部１０３を通じて下部ユニット側紙幣搬送部８５の主搬送路部８９に搬送され、この主搬送路部８９から対応する金種の繰込搬送路部９０を通じて対応する金種別紙幣収納部８３に繰り込まれて集積収納される。なお紙幣が金種別紙幣収納部８３に収納されるにあたっては、紙幣が過剰に収納される不具合を回避するために、過剰収納防止機能がはたらくようになっている。この過剰収納防止機能については、改めて詳述する。【００９１】
また、テラーが上位端末１２によって入金非承認指令の操作をすることにより、入金紙幣一時保留部３５の前面扉３６をロックしていた電磁ロックが解除される。テラーは、前面扉３６の取手３７を持って機体１４の開口部２６から前方へ開き、開口部２６を通じて入金紙幣一時保留部３５内の一時保留紙幣を一括して取り出し、顧客に返却し、前面扉３６を閉じる。【００９２】
以上に示した一連の処理によって、入金処理が実現される。ところで先述の通り、紙幣入出金機１１においては、金種別紙幣収納部８３に紙幣が過剰に収納されることを防止する過剰収納防止機能が設けられている。この過剰収納防止機能によって実行される処理について、図４のフローチャートを参照しながら以下に説明する。なおここでは、紙幣識別部５０によって正規と判断された紙幣が、入金紙幣一時保留部３５に一時保留された段階以降について説明する。【００９３】
入金紙幣一時保留部３５に一時保留された紙幣は、金種別紙幣収納部８３に向けて搬送されることとなる。この紙幣の搬送がなされている間、枚数検出手段２０１は、それぞれの金種別紙幣収納部８３に収納されている紙幣枚数が、金種別紙幣収納部８３ごとに設定されている収納制限量に達したか否かについて（ステップＳ１２）監視する。その結果、収納制限量に達していれば（ステップＳ１２のＹ）、後述する入金制限処理を実行する（ステップＳ１５）。【００９４】
なお収納制限量は、各金種別紙幣収納部８３の容量を考慮し、残り容量があと僅かとなる程度の紙幣枚数として、予め定められているものである。例えば通常、収納部に１５００枚程度の紙幣が収納可能な容量である場合に、収納制限量は９００枚として設定されている。なおこの収納制限量は、テラーによって自在に変更可能であるようにしても良い。【００９５】
またステップＳ１２と同様に紙幣の搬送がなされている間、枚数検出手段２０１は、何れかの金種別紙幣収納部８３に収納されている紙幣が、収納限界量に達したか否かについての監視を行う（ステップＳ１３）。また満杯検出手段２０２は、何れかの金種別紙幣収納部８３が、満杯となったか否かについての監視を行う（ステップＳ１４）。その結果、収納限界量に達しているか、または満杯となっている場合には（ステップＳ１３、Ｓ１４のＹ）、後述する入金停止処理を実行する（ステップＳ１８）。【００９６】
なお上述したステップＳ１２〜Ｓ１４に係る監視は、入金紙幣一時保留部３５から金種別紙幣収納部８３への紙幣の搬送が完了するまで（全て搬送し終えるまで）継続的になされる（ステップＳ１６）。【００９７】
ここで収納限界量は、金種別紙幣収納部８３が満杯状態になると思われる紙幣枚数であり、上位端末１２，１３を通じ、テラーによって自在に設定可能となっている。また一旦設定した後も、内容を変更して再度設定することが可能となっている。またこの収納限界量の設定方法については、個別設定と一括設定を任意に選択することが可能となっている。【００９８】
個別設定は、金種別紙幣収納部８３の各々に対して、個別に収納限界量を設定するものである。この個別設定は、例えば一部の金種別紙幣収納部８３の収納限界量のみを設定し直したいような場合に、特に有効である。【００９９】
例えば複数のうちのＮ番目の金種別紙幣収納部８３について収納限界量を設定するにあたっては、「Ｎ番目」という指定および収納限界量の値の指定が上位端末１２，１３を通じてテラーによりなさる。この指定により定まる収納限界量は、記憶部２０３に設けられている設定用領域に記憶されることで、設定される。これにより、テラーによって収納限界量が自在に設定可能となっている。【０１００】
一括設定は、金種別紙幣収納部８３の各々に対して、一括して収納限界量を設定するものである。より具体的には、予め記憶部２０３（設定用領域以外）に格納されている一括設定情報のうちから所望のものを選択することで、この選択された一括設定情報により定まる内容にて各金種別紙幣収納部８３の収納限界量が設定されるものである。【０１０１】
この一括設定情報は、例えば図５に示すように、識別番号と各金種別紙幣収納部８３に対する収納限界量の情報からなっている。そして上位端末１２，１３を通じて識別番号の指定がテラーによりなされ、指定された一括設定情報における各収納限界量が、記憶部２０３の設定用領域に記憶されることで設定され、実際に処理に用いられることとなる。このように識別番号が指定されることにより、この識別番号に対応する一括設定情報に基づいて、各金種別紙幣収納部８３に対する収納限界量が自動的に決定されるようになっている。【０１０２】
なお図５におけるＡ〜Ｆは金種別紙幣収納部８３の種類（図２のＡ〜Ｆに対応）を示しており、例えば識別番号「１」によれば、「Ｅ」の金種別紙幣収納部８３（＄５０紙幣の収納が予定されている）における収納限界量は１１００枚と設定されることになる。また各一括設定情報は、図５に示す国で紙幣入出金機１１が使用される場合に適するよう配慮されている。【０１０３】
この一括設定は、状況ごとに各金種別紙幣収納部８３に対して設定すべき収納限界量が、予め分かっているような場合に、状況に応じて簡単に収納限界量を設定することができる点で特に有効である。例えば図５に示す一括設定情報では、紙幣入出金機１１の使用が予定される国の各々に対応したものとなっている。つまり一括設定情報は、その国で用いられている紙幣の種類、種類ごとの紙幣の厚みや使用頻度などを考慮して、その国で紙幣入出金機１１が使用される場合に最適となるよう、予め用意されたものである。【０１０４】
このようにしておけば、例えば紙幣入出金機１１の使用される国が「アメリカ」である場合、識別番号「１」を指定するだけで、各金種別紙幣収納部８３に対してできるだけ状況に適合した収納限界量を設定することが可能である。【０１０５】
なお記憶部２０３に記憶されている一括設定情報は、上位端末１２，１３から送られる情報などに基づいて、その内容が変更可能となっている。また上位端末１２，１３から送られる情報などに基づいて、新たな一括設定情報を記憶部２０３に追加記憶させることが可能となっている。そのため、種々の状況の変化により一括設定情報の変更や追加が必要となった場合であっても、適切に対応できるようになっている。そしてこれらの変更や追加の内容は、その後に一括設定が実行されることで、収納限界量の設定内容に反映させることが可能である。【０１０６】
以上のように、収納限界量は記憶部２０３の記憶内容（特に、設定用領域）に基づいて設定される。また上述した個別設定や一括設定変更が更になされることで、この記憶内容を変更させることができ、ひいては、収納限界量の設定の内容が変更可能となっている。【０１０７】
次に先述した、入金制限処理（ステップＳ１５）の内容について説明する。【０１０８】
まず入金制限処理は、入金紙幣一時保留部３５から金種別紙幣収納部８３への紙幣の搬送が、一定量ずつ（例えば１００枚ずつ）となるように制限することとする。そしてこの一定量が金種別紙幣収納部８３に収納された状態で、未だ枚数検出手段２０１によって収納の限界が検出されず、かつ、満杯検出手段２０２によって満杯が検出されない場合には、更に一定量の紙幣を追加搬送する。これにより、許容量を大きく超えて金種別紙幣収納部８３に紙幣が収納される事態を、極力回避することが可能となっている。【０１０９】
また入金制限処理では、紙幣入金口２３から入金紙幣一時保留部３５への紙幣の搬送を一旦中断することとする。これにより、入金紙幣一時保留部３５から金種別紙幣収納部８３への紙幣の搬送が一定量ずつに制限されても、入金紙幣一時保留部３５が溢れるといった事態を極力回避することが可能となっている。【０１１０】
入金紙幣一時保留部３５への紙幣の搬送が一旦中断された状態で、入金紙幣一時保留部３５から金種別紙幣収納部８３へ紙幣が搬送され続けると、入金紙幣一時保留部３５に保留されている紙幣は次第に減少する。このようにして入金紙幣一時保留部３５に保留されている紙幣が所定枚数以下となったら、中断状態を解除し、紙幣入金口２３から入金紙幣一時保留部３５への紙幣の搬送を再開させる。これにより、金種別紙幣収納部８３への紙幣の搬送が滞ることによる入金処理の遅滞が極力回避される。【０１１１】
次に先述した、入金停止処理（ステップＳ１８）の内容について説明する。【０１１２】
入金停止処理は、紙幣入金口２３から入金紙幣一時保留部３５への紙幣の搬送を停止させることに加え、入金紙幣一時保留部３５から金種別紙幣収納部８３への紙幣の搬送をも停止させることとする。なお既に搬送中の紙幣に対しては、金種別紙幣収納部８３や他の別の場所に搬送させることにより、適切な処理が施される。これにより、金種別紙幣収納部８３への紙幣の追加収納を極力抑えることが可能となっている。【０１１３】
また入金停止処理は、紙幣入出金機１１に備えられている表示装置に所定の表示（例えばディスプレイによる表示や、ＬＥＤランプの点灯など）を行うことで、入金停止処理がなされたことがテラーに報知される。なお表示装置による表示に代えて、あるいはこれに加えて、音響装置（ブザー、スピーカなど）による所定の音響出力を通じてテラーに報知するようにしても良い。【０１１４】
これによりテラーは、入金停止処理がなされたことを把握し、適切な対応をとることが可能となっている。またこのとき、紙幣入金口２３や入金紙幣一時保留部３５に残っている紙幣は、テラーによって取り出し可能となっており、取り出した紙幣を顧客に返却することが可能となっている。【０１１５】
更に入金停止処理（ステップＳ１８）がなされた後、既に入金済み（金種別紙幣収納部８３に収納済み）の紙幣を返却する返却処理、および、かかる返却を行わず入金取引を終了させる一部入金処理の何れかを任意に（顧客の意向に応じて）実行可能となっている。【０１１６】
紙幣入出金機１１に対して返却処理の指示がなされると、入金済みの紙幣またはこれ同額の紙幣が、金種別紙幣収納部８３から繰り出されて、紙幣出金口２２に搬送される。紙幣出金口２２に搬送された紙幣は、テラーによって顧客に返却され、入金取引は終了する。この返却処理によれば、入金予定の全額が入金されない限りは、入金自体を取りやめたいと考えている顧客などに対して、適切に応対することが可能である。【０１１７】
一方、一部入金処理の指示がなされると、既に入金済みの分（顧客が入金しようとしていた紙幣の一部）が入金された状態で、入金取引は終了する。この一部入金処理によれば、入金予定額の一部でも入金できるならば、その分を入金しておきたいと考えている顧客などに対して、適切に応対することが可能となる。【０１１８】
また上述したステップＳ１４の処理に関して、枚数検出手段２０１が収納の限界を検出する前に、満杯検出手段２０２が満杯を検出した場合（ステップＳ１４のＹ）には、現時点で設定されている収納限界量を補正する（ステップＳ１７）。より具体的には、満杯検出手段２０２が満杯を検出した時点で枚数検出手段２０１によって計数されている枚数が、新たな収納限界量となるように補正する。【０１１９】
このようにすれば、次回以降になされる、枚数検出手段２０１による収納の限界の検出を、より妥当なものとすることが可能となる。なお、現時点での収納限界量が一括設定により設定されている場合は、その一括設定情報自体を同様に補正するようにしても良い。【０１２０】
ここで上述した過剰収納防止機能に係る処理内容をさらに理解容易とするため、図６および図７を参照しながら、具体的な事例を挙げて以下に説明する。【０１２１】
なお本事例では、図５に示す各一括設定情報が記憶部２０３に格納されている中、予めテラーによって識別番号「１」が指定されて、各金種別紙幣収納部８３の収納限界量が設定されているとする。また収納制限量は、各金種別紙幣収納部８３とも一律９００枚に設定されている。従って、各金種別紙幣収納部８３に対する、収納されるべき紙幣の種類、収納制限量、および収納限界量は、図６に示す表の通りとなる。また入金制限処理における入金紙幣一時保留部３５からの紙幣の搬送は、各金種とも一律１００枚ずつとする。【０１２２】
また本事例の概要を説明する図７に示す通り、金種別紙幣収納部８３の各々には既に７００枚の紙幣が収納されており、更に＄５紙幣１００枚と＄２０紙幣６００枚を新たに入金しようとする場合を想定する。【０１２３】
まず紙幣入金口２３に上述した紙幣が投入され、かつテラーが上位端末１２，１３を通じて入金処理開始の指示を行うことにより、入金紙幣は紙幣識別部５０を経て（入金不許可は発生しなかったとする）、入金紙幣一時保留部３５に一時的に収納される。その後、顧客の入金承認を確認した上でテラーが入金承認指令を行うことにより、入金紙幣一時保留部３５から金種別紙幣収納部８３に向けた紙幣の搬送が開始される（ステップＳ１１）。【０１２４】
この搬送がなされている間、枚数検出手段２０１は、金種別紙幣収納部８３ごとに搬送されてきた紙幣の枚数を継続的に計数し（既に７００枚の紙幣が収納済みのため、初期値７００からの計数となる）、これが収納制限量および収納限界量に達したかを監視している（ステップＳ１２、Ｓ１３）。また同じく、満杯検出手段２０２は、金種別紙幣収納部８３ごとに満杯に達したかを監視している（ステップＳ１４）。【０１２５】
これにより、搬送される＄２０紙幣２００枚（初期値と合算して９００枚となる）が枚数検出手段２０１によって計数されると、それ以降は入金制限処理が実行されることになる（ステップＳ１５）。そのためこの間、仮に紙幣入金口２３に更に新たな紙幣が投入されて入金開始が指示されても、入金紙幣一時保留部３５における紙幣が所定枚数以下となるまでは、入金紙幣一時保留部３５への紙幣の搬送はなされない。既に入金紙幣一時保留部３５に収納されている紙幣については、金種別紙幣収納部８３に向けて１００枚ずつ搬送される。【０１２６】
また満杯が検出されることなく、搬送される＄２０紙幣５００枚（初期値と合算して１２００枚となる）が枚数検出手段２０１によって計数されると、入金停止処理が実行される（ステップＳ１８）。そのため、入金紙幣一時保留部３５から金種別紙幣収納部８３に向けての紙幣の搬送も停止される。【０１２７】
この状態で、テラーにより返却処理が指示されると、紙幣入出金機１１は、今回の入金処理により既に金種別紙幣収納部８３に収納された紙幣（約５００枚分の＄２０紙幣と、金種別紙幣収納部３８に収納済みの＄５紙幣）もしくは、これと同額の紙幣を、紙幣出金口２２に搬送させる。その後テラーは、この搬送された紙幣と、入金紙幣一時保留部３５に残っている紙幣（約１００枚分の＄２０紙幣と、金種別紙幣収納部３８に未収納の＄５紙幣）を、顧客に返却する。【０１２８】
一方、テラーにより一部入金処理が指示されると、既に金種別紙幣収納部８３に収納された紙幣の入金は有効（例えば、顧客の預金残高データに入金額が加算される）とされ、入金紙幣一時保留部３５に残っている紙幣は、テラーから顧客に返却される。【０１２９】
ただし例えば枚数検出手段２０１によって、搬送される＄２０紙幣３５０枚が計数された段階（収納限界量となる前の段階）で、満杯検出手段２０２によって＄２０紙幣に係る金種別紙幣収納部８３の満杯が検出された場合は（ステップＳ１４のＹ）、この時点で入金停止処理が実行される（ステップＳ１８）。【０１３０】
また更にこの時点では、＄２０紙幣について、初期値７００枚と合わせて１０５０枚の紙幣が、枚数検出手段２０１により計数されている。そこで紙幣入出金機１１は、記憶部２０３の設定用領域に記憶されている（Ｄ）の金種別紙幣収納部８３に係る収納限界量を「１２００枚」から「１０５０枚」に補正するとともに、識別番号「１」の一括設定情報についても同様に補正する（ステップＳ１７）。【０１３１】
以上の通り本発明の実施形態について説明したが、本発明はこの内容に限定されるものではなく、本発明の主旨を逸脱しない限り、種々の改変を加えることが可能である。例えば貨幣としては紙幣に限られず、硬貨であってもよい。また枚数検出手段２０１の代わりに、金種別紙幣収納部８３の各々に収納された貨幣の重量を検出する重量検出手段を設けておき、「収納制限量」や「収納限界量」を、重量で設定するようにしておいてもよい。これにより、枚数の代わりに重量に着目して、過剰収納防止機能を実現することが可能である。【０１３２】
以上に説明した通り、本実施形態の紙幣入出金機１１（貨幣処理機）は、紙幣（貨幣）を収納する金種別紙幣収納部８３（収納庫）を有し、紙幣入金口２３に投入された（供給された）紙幣を金種別紙幣収納部８３に搬送して収納する、入金処理を行うものである。【０１３３】
そして金種別紙幣収納部８３に対して、収納限界量を設定する限界量設定手段と、金種別紙幣収納部８３に収納された紙幣が、金種別紙幣収納部８３に対して設定された収納限界量に達した場合に、収納の限界と判断する収納限界判断手段と、該収納限界判断手段により収納の限界と判断された場合に、入金処理を停止させる入金停止処理を行う、入金停止手段と、を備えている。【０１３４】
また限界量設定手段は、収納限界量を記憶する記憶部２０３（設定内容記憶部）を有しており、設定内容記憶部の記憶内容に基づいて収納限界量の設定を行うものであるとともに、この記憶内容が変更されることにより、収納限界量の設定内容が変更可能となっている。その結果、収納庫の収納限界量を状況に応じて容易に調整することが可能となっている。
【産業上の利用可能性】
【０１３５】
本発明は、金融機関で用いられる貨幣処理機などの分野において利用可能である。
【図１】
2008152684.tif 000003
【図２】
2008152684.tif 000004
【図３】
2008152684.tif 000005
【図４】
2008152684.tif 000006
【図５】
2008152684.tif 000007
【図６】
2008152684.tif 000008
【図７】
2008152684.tif 000009
【国際調査報告】
2008152684.tif 000010
2008152684.tif 000011